(57)【要約】【課題】  映像表示部に表示された映像が第２の映像であることの具体的な確認動作の提供が充分ではなく、ユーザにとって、不便であることが問題になっていた。  このため、表示された映像の確認動作において、ユーザの利便性を向上させることが課題になっていた。【解決手段】  実施形態の電子機器は、第１の映像と、前記第１の映像より解像度が高い第２の映像と前記第１の映像との差分映像データを用いて前記第２の映像を出力する。  そして、映像データを受信し、前記映像データに前記差分映像データが含まれる場合は、予め設定されている第２の映像の表示を、前記第２の映像に重畳する重畳部を備える。  また、前記第２の映像の表示が重畳された第２の映像を出力する映像出力部を備える。【選択図】  図１
2014072812.tif 000002
【特許請求の範囲】
【請求項１】
第１の映像と、前記第１の映像より解像度が高い第２の映像と前記第１の映像との差分映像データを用いて前記第２の映像を出力する電子機器において、
映像データを受信し、前記映像データに前記差分映像データが含まれる場合は、予め設定されている第２の映像の表示を、前記第２の映像に重畳する重畳部と、
前記第２の映像の表示が重畳された第２の映像を出力する映像出力部を備える電子機器。
【請求項２】
前記差分映像データが含まれるかを検出する検出部を備える請求項１に記載の電子機器。
【請求項３】
前記差分映像データが含まれない場合は、前記第２の映像の表示が重畳されない第２の映像を出力する請求項１または２のいずれかに記載の電子機器。
【請求項４】
前記映像データに前記差分映像データが含まれるかに応じ、前記第２の映像の表示が重畳された第２の映像の出力が切替えられる切替え部を備える請求項１乃至３のいずれかに記載の電子機器。
【請求項５】
前記映像データに前記差分映像データが含まれるか、および前記第２の映像の表示を行うかどうかの選択に応じ、前記第２の映像が重畳された第２の映像の出力が切替えられる切替え部を備える請求項１乃至３のいずれかに記載の電子機器。
【請求項６】
前記第２の映像の表示は解像度情報を含む請求項１乃至５のいずれかに記載の電子機器。
【請求項７】
第１の映像と、前記第１の映像より解像度が高い第２の映像と前記第１の映像との差分映像データを出力する映像出力装置において、
元映像を縮小して前記第１の映像を作成し、出力する第１の映像出力部と、
前記元映像と第２の映像の表示を重畳し、第２の映像の表示が重畳された元映像と前記第１の映像との差分映像データを抽出する抽出部と、
抽出された前記差分映像データを出力する差分映像データ出力部を備える映像出力装置。
【請求項８】
前記差分映像データの抽出は、前記第２の映像の表示が重畳された元映像と前記第１の映像を拡大した映像との差分データが抽出される請求項７に記載の映像出力装置。
【請求項９】
第１の映像と、前記第１の映像より解像度が高い第２の映像と前記第１の映像との差分映像データを用いて前記第２の映像を出力する電子機器の制御方法において、
映像データを受信し、前記映像データに前記差分映像データが含まれる場合は、予め設定されている第２の映像の表示を、前記第２の映像に重畳するステップと、
前記第２の映像の表示が重畳された第２の映像を出力するステップを備える電子機器の制御方法。
【請求項１０】
第１の映像と、前記第１の映像より解像度が高い第２の映像と前記第１の映像との差分映像データを出力する映像出力装置の制御方法において、
元映像を縮小して前記第１の映像を作成し、出力するステップと、
前記元映像と第２の映像の表示を重畳し、第２の映像の表示が重畳された元映像と前記第1の映像との差分映像データを抽出するステップと、
抽出された前記差分映像データを出力するステップを備える映像出力装置の制御方法。
【請求項１１】
第１の映像と、前記第１の映像より解像度が高い第２の映像と前記第１の映像との差分映像データを用いて前記第２の映像を出力する電子機器を制御する電子機器の制御プログラムにおいて、
映像データを受信し、前記映像データに前記差分映像データが含まれる場合は、予め設定されている第２の映像の表示を、前記第２の映像に重畳するステップと、
前記第２の映像の表示が重畳された第２の映像を出力するステップを備える電子機器の制御プログラム。
【請求項１２】
第１の映像と、前記第１の映像より解像度が高い第２の映像と前記第１の映像との差分映像データを出力する映像出力装置を制御する映像出力装置の制御プログラムにおいて、
元映像を縮小して前記第１の映像を作成し、出力するステップと、
前記元映像と第２の映像の表示を重畳し、第２の映像の表示が重畳された元映像と前記第1の映像との差分映像データを抽出するステップと、
抽出された前記差分映像データを出力するステップを備える映像出力装置の制御プログラム。
【発明の詳細な説明】
【技術分野】
【０００１】
本発明の実施形態は、電子機器、映像出力装置、電子機器の制御方法、映像出力装置の制御方法、電子機器の制御プログラム、映像出力装置の制御プログラムに関する。
【背景技術】
【０００２】
近年、例えば、「２ｋ１ｋ」と呼ばれる高解像度の映像（第１解像度の映像）を表示することが可能な、高解像度映像を表示可能なディスプレイを備えた電子機器が普及している。
【０００３】
ここで、「２ｋ１ｋ」とは、いわゆるフルＨＤ相当のサイズを示す表現である。
【０００４】
「２ｋ１ｋ」の「Ｋ」はキロを指す。また、フルＨＤの解像度は１９２０×１０８０で、概算で２０００×１０００、すなわち「２ｋ１ｋ」という表現になっている。
【０００５】
また、解像度は、例えば、映像を表現するための縦と横の点（ドット）の数として表現される。
【０００６】
また、近年、例えば、「４ｋ２ｋ」と呼ばれる、さらに高解像度の映像（第２解像度の映像）を表示可能なディスプレイを備えた電子機器が製品化されつつある。
【０００７】
ここで、「４ｋ２ｋ」とは、水平画素数４０００×垂直画素数２０００前後の画面解像度を持つ映像フォーマットの総称である。「４ｋ２ｋ」は、例えば、デジタルシネマの標準規格であるＤＣＩで定められている４Ｋ（４０９６×２１６０）や、ＦＨＤ（フルＨＤ：１９２０×１０８０)の４倍の画素数を持つＱＦＨＤ(クアッド・フルＨＤ：３８４０×２１６０等を指す。
【０００８】
このように、「４ｋ２ｋ」は、新しい動画規格として注目されている。
【０００９】
しかし、「４ｋ２ｋ」においては、情報を収納する媒体規格や配信方法が定まっておらず、コンテンツもあまり供給されていないため、一般的にはあまり馴染みがないのが現状である。
【００１０】
このため、例えば、第１の映像（第１解像度の映像（例えば、「２ｋ１ｋ」）と、映像差分データ（第１の映像より解像度が高い第２の映像（第２解像度の映像（例えば、「４ｋ２ｋ」）と第１の映像との差分情報）を用い、第２の映像（第２解像度の映像（例えば、「４ｋ２ｋ」）を表示する方式が提案されている（差分伝送方式）。
【００１１】
しかし、例えば、上記差分情報を用いて第１の映像より解像度が高い第２の映像（例えば、「４ｋ２ｋ」）が映像表示部に表示された場合に、ユーザは、表示された映像が第２の映像であることを確認したい場合がある。
【００１２】
しかし、この映像表示部に表示された映像が第２の映像であることの具体的な確認動作の提供が充分ではなく、ユーザにとって、不便であることが問題になっていた。
【００１３】
このため、表示された映像の確認動作において、ユーザの利便性を向上させることが課題になっていた。
【先行技術文献】
【特許文献】
【００１４】
【特許文献１】特開２００３−１８４６０号公報
【発明の概要】
【発明が解決しようとする課題】
【００１５】
映像表示部に表示された映像が第２の映像であることの具体的な確認動作の提供が充分ではなく、ユーザにとって、不便であることが問題になっていた。
【００１６】
このため、表示された映像の確認動作において、ユーザの利便性を向上させることが課題になっていた。
【課題を解決するための手段】
【００１７】
実施形態の電子機器は、第１の映像と、前記第１の映像より解像度が高い第２の映像と前記第１の映像との差分映像データを用いて前記第２の映像を出力する。
【００１８】
そして、映像データを受信し、前記映像データに前記差分映像データが含まれる場合は、予め設定されている第２の映像の表示を、前記第２の映像に重畳する重畳部を備える。
【００１９】
また、前記第２の映像の表示が重畳された第２の映像を出力する映像出力部を備える。
【図面の簡単な説明】
【００２０】
【図１】実施形態に係わる電子機器の外観を示す外観図。
【図２】実施形態に係わる電子機器および映像出力部（例えば、映像出力装置）の構成を示すブロック図。
【図３】実施形態に係わる映像出力部（例えば、映像出力装置）において、第１の映像および差分映像データを出力するようすを示す図。
【図４】実施形態に係わる電子機器において、映像出力部（例えば、映像出力装置）から出力された第１の映像および差分映像データを受信し、電子機器側に予め設定された第２の映像の表示を重畳して出力するようすを示す図。
【図５】図３で説明した実施形態に係わる映像出力部（例えば、映像出力装置）の動作を説明する図。
【図６】図４で説明した実施形態に係わる電子機器の動作を説明する図。
【図７】実施形態に係わる映像出力部（例えば、映像出力装置）において、第１の映像および第２の映像の表示が重畳された差分映像データを出力するようすを示す図。
【図８】実施形態に係わる電子機器において、映像出力部（例えば、映像出力装置）から出力された第１の映像および第２の映像の表示が重畳された差分映像データを受信し、第２の映像の表示を重畳して出力するようすを示す図。
【図９】図７で説明した実施形態に係わる映像出力部（例えば、映像出力装置）の動作を説明する図。
【図１０】図８で説明した実施形態に係わる電子機器の動作を説明する図。
【図１１】実施形態に係わる電子機器において、映像出力部（例えば、映像出力装置）から出力された映像コンテンツの映像データ（第１の映像および差分映像データ）を受信し、電子機器側に予め設定された第２の映像の表示を重畳して出力するようすを説明するフローチャート。
【図１２】実施形態に係わる電子機器において、映像出力部（例えば、映像出力装置）から出力された映像コンテンツの映像データ（第１の映像および第２の映像の表示が重畳された差分映像データ）を受信し、第２の映像の表示を重畳して出力するようすを説明するフローチャート。
【図１３】実施形態に係わる電子機器において、例えば、ユーザによる放送番組のチャンネル変更に応じて第２の映像の表示が表示出力される例を示す図。
【図１４】実施形態に係わる電子機器において、映像出力部（例えば、映像出力装置）から出力された映像コンテンツの映像データ（第１の映像および差分映像データ）を受信し、電子機器側に予め設定された第２の映像の表示を重畳して出力するようすを説明するフローチャート。
【発明を実施するための形態】
【００２１】
以下、図面を参照し、実施の形態を説明する。
【００２２】
図１は、実施形態に係わる電子機器の外観を示す外観図である。
【００２３】
ここでは、電子機器１の一例として、映像表示装置（テレビ）を用いて説明を行うが、後述するように、電子機器１はテレビに限定されることはなく、録画装置やパーソナルコンピュータ（ＰＣ）、スマートフォン等にも適用可能である。
【００２４】
電子機器（映像表示装置）１は、例えば、ユーザによってリモコン（リモートコントローラ）２１が操作される。このリモコン２１から出力されたリモコン信号が電子機器（映像表示装置）１の操作受信部２０で受信される。
【００２５】
リモコン信号を受信した電子機器（映像表示装置）１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００２６】
また、この電子機器（映像表示装置）１は、例えば、ＵＳＢ端子等で外付けされる外部記憶機器（ＨＤＤ等）１９を備えている。そして、映像表示装置１で受信された放送を、例えば、映像表示装置１内部の内部記憶装置１７やこの外部記憶機器１９に録画することが可能である。
【００２７】
また、この実施形態においては、例えば、差分伝送方式が用いられる。
【００２８】
差分伝送方式は、上記のように、例えば、第１の映像（第１解像度の映像（例えば、「２ｋ１ｋ」）と、映像差分データ（第１の映像より解像度が高い第２の映像（第２解像度の映像（例えば、「４ｋ２ｋ」）と第１の映像との差分情報）を用い、第２の映像（第２解像度の映像（例えば、「４ｋ２ｋ」）を表示出力する方式である。
【００２９】
そして、この実施形態の電子機器は、第１の映像（例えば、「２ｋ１ｋ」映像）と、第１の映像より解像度が高い第２の映像（例えば、「４ｋ２ｋ」映像）と第１の映像との差分映像データを用いて第２の映像を出力する。
【００３０】
そして、例えば、映像データを受信し、映像データに差分映像データが含まれる場合は、予め設定されている第２の映像の表示を、第２の映像に重畳する。
【００３１】
または、例えば、映像データを受信し、映像データに差分映像データが含まれる場合は、映像データから第２の映像の表示データを取得し、第２の映像に重畳する。
【００３２】
そして、第２の映像の表示が重畳された第２の映像を出力する。
【００３３】
図２は、実施形態に係わる電子機器および映像出力部（例えば、映像出力装置）の構成を示すブロック図である。
【００３４】
この実施形態においては、制御部１１はＣＰＵ１２を備えている。そして、ＣＰＵ１２は電子機器（映像表示装置）１を制御する。
【００３５】
また、ＲＡＭ１３、ＲＯＭ１４、フラッシュメモリ１５は、例えば、制御部１１で行われる処理に利用される。
【００３６】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００３７】
信号処理部４で受信されたデジタル信号の映像コンテンツは信号処理が施され、音声処理部６および映像処理部５に送信される。
【００３８】
音声処理部６は、信号処理が施された映像コンテンツを受信し、音声処理を施した信号をスピーカ９に送信する。
【００３９】
スピーカ９は、音声処理が施された信号を受信し、音声を出力する。
【００４０】
また、映像処理部５は、信号処理が施された映像コンテンツを受信し、映像処理を施した信号を表示装置７に送信する。
【００４１】
表示装置７は、映像処理が施された信号を受信し、ＬＣＤパネル等で構成される表示画面（映像表示部）８に映像を表示する。
【００４２】
また、この実施形態においては、電子機器（映像表示装置）１は内部記憶装置１７を備えている。この内部記憶装置１７は、上記外部記録機器１９と同様に、例えば、電子機器（映像表示装置）１で受信された映像コンテンツを録画することが可能である。
【００４３】
また、この実施形態においては、電子機器（映像表示装置）１は、上記のようにＵＳＢ接続やＬＡＮ接続される外部記憶機器１９を備えている。上記受信された映像コンテンツはこの外部記憶機器１９に記録することも可能である。
【００４４】
また、この実施形態においては、電子機器（映像表示装置）１は、送受信部（ネットワークインターフェース）２２、ネットワーク（インターネット）２６を介してサーバ２７に接続されており、例えば、インターネットで配信された映像コンテンツを受信し、上記と同様に、内部記憶装置１７や外部記憶機器１９に記録することも可能である。
【００４５】
これらの処理は、上記のように、制御部１１に制御される。
【００４６】
また、上記のように、電子機器（映像表示装置）１に対するユーザの操作は、例えばリモコン（リモートコントローラ）２１等の操作機器によって指示される。
【００４７】
そして、この実施形態においては、例えば、第１の映像（第１解像度の映像（例えば、「２ｋ１ｋ」）は、放送局２５から放送によって送信され、電子機器（映像表示装置）１で受信される。
【００４８】
また、映像差分データ（第１の映像より解像度が高い第２の映像（第２解像度の映像（例えば、「４ｋ２ｋ」）と第１の映像との差分情報）は、ネットワーク２６を介して送信され、電子機器（映像表示装置）１で受信される。
【００４９】
あるいは、上記第１の映像と上記映像差分データの両者を放送局２５から放送によって送信するように構成しても良い。
【００５０】
あるいは、上記第１の映像と上記映像差分データのどちらか、あるいは両者を、記憶媒体等を介して送信するように構成しても良い。
【００５１】
図３は、実施形態に係わる映像出力部（例えば、映像出力装置）において、第１の映像および差分映像データを出力するようすを示す図である。
【００５２】
例えば、放送局２５等の送信側（映像出力部（例えば、映像出力装置））において、「４ｋ２ｋサイズ」の元映像が４ｋ映像入力部３１に入力される。この元映像は縮小スケーラ３２に入力され、メイン映像として配信するためのＨＤサイズ（「２ｋ１ｋサイズ」）の映像が生成される。
【００５３】
このメイン映像は符号化部３３に入力され、例えば、動画符号化技術(例えば、ＭＰＥＧ２等)により、符号化が行われ、放送波で配信される。
【００５４】
また、４ｋ映像入力部３１に入力された元映像は、差分抽出部３５にも入力される。
【００５５】
また、縮小スケーラ３２で縮小されたメイン映像は、拡大スケーラ３４にも入力される。
【００５６】
ここでは、４ｋ２ｋサイズの拡大映像が生成され、差分抽出部３５に入力される。
【００５７】
そして、差分抽出部３５において、第１の映像より解像度が高い第２の映像（例えば、「４ｋ２ｋ」映像）と第１の映像（ＨＤサイズ（「２ｋ１ｋサイズ」））との差分映像データが生成される。
【００５８】
この差分映像データは符号化部３６に入力され、例えば、動画符号化技術（例えば、Ｈ．２６４やＨＥＶＣ等)により符号化が行われ、例えば、インターネット等で配信される。
【００５９】
図４は、実施形態に係わる電子機器において、映像出力部（例えば、映像出力装置）から出力された第１の映像および差分映像データを受信し、電子機器側に予め設定された第２の映像の表示を重畳して出力するようすを示す図である。
【００６０】
受信側（電子機器（映像表示装置）１）は、例えば、受信した放送波の映像データからメイン映像の符号化データを取得して復号化部４１へ入力する。
【００６１】
復号化部４１では、復号処理を行い、メイン映像（第１の映像（ＨＤサイズ（「２ｋ１ｋサイズ」）））を取得する。このメイン映像は、ここでは、拡大スケーラ４２に入力され、４ｋ２ｋサイズの拡大映像が生成される。
【００６２】
このとき映像データが上記差分伝送方式に係る４ｋ２ｋ放送である（すなわち、映像データが映像差分データを含む）か、どうかにより、以下の処理を行う。
【００６３】
このとき、例えば、映像データが上記差分伝送方式に係る４ｋ２ｋ放送である（すなわち、映像データが映像差分データを含む）か、どうかは、例えば、上記メイン映像の放送信号やＥＰＧ等に、４ｋ放送識別信号（例えば、差分映像フラッグ等）を埋め込むことで、これを取得して識別することが可能である。
【００６４】
そして、映像データが上記差分伝送方式に係る４ｋ２ｋ放送である（すなわち、映像データが映像差分データを含む）場合、例えば、インターネット経由で差分映像データを受信して復号化部４３へ入力する。
【００６５】
復号化部４３では、符号化された差分映像データに復号処理を行い、差分映像データを取得する。
【００６６】
そして、上記メイン映像からの拡大映像と差分映像データが合成部４４に入力され、復元映像が生成される。
【００６７】
ここで生成された復元映像は、映像画質表示（４ｋ２ｋロゴ）重畳部４５へ入力され、入力映像に４ｋ２ｋロゴが重畳された第２の映像（４ｋ２ｋサイズ）が表示映像として生成される。
【００６８】
そして、例えば、差分映像フラッグ等の高画質映像（４ｋ放送）識別信号に応じ、切替部４６により、映像画質表示（４ｋ２ｋロゴ）重畳部４５から出力された４ｋ２ｋロゴが重畳された第２の映像（４ｋ２ｋサイズ）が表示映像として選択され、テレビモニタ（表示画面８）に表示出力される。
【００６９】
また、映像データが上記差分伝送方式に係る４ｋ２ｋ放送ではない（すなわち、映像データが映像差分データを含まない）場合は、例えば、インターネットからの差分映像の取得は行わず、例えば、切替部４６により、拡大スケーラ４２から出力されるメイン映像が選択され、テレビモニタ（表示画面８）に表示出力される。
【００７０】
このとき、このメイン映像は、第２の映像（４ｋ２ｋ画質）ではないため、第２の映像（４ｋ２ｋ画質）の表示（例えば、４ｋ２ｋロゴ）は表示しない。
【００７１】
図５は、図３で説明した実施形態に係わる映像出力部（例えば、映像出力装置）の動作を説明する図である。
【００７２】
図５に示すように、例えば、放送局２５等の送信側（映像出力部（例えば、映像出力装置））において、「４ｋ２ｋサイズ」の元映像５１が４ｋ映像入力部３１に入力される。この元映像５１は縮小スケーラ３２に入力され、メイン映像として配信するためのＨＤサイズ（「２ｋ１ｋサイズ」）の映像５２が生成される。
【００７３】
このメイン映像５２は符号化部３３に入力され、例えば、動画符号化技術(例えば、ＭＰＥＧ２等)により、符号化が行われ、放送波で配信される。
【００７４】
また、４ｋ映像入力部３１に入力された元映像５１は、差分抽出部３５にも入力される。
【００７５】
また、縮小スケーラ３２で縮小されたメイン映像５２は、拡大スケーラ３４にも入力される。
【００７６】
ここでは、４ｋ２ｋサイズの拡大映像５３が生成され、差分抽出部３５に入力される。
【００７７】
そして、差分抽出部３５において、第１の映像より解像度が高い第２の映像（例えば、「４ｋ２ｋ」映像）と第１の映像（ＨＤサイズ（「２ｋ１ｋサイズ」））との差分映像データ５４が生成される。
【００７８】
この差分映像データ５４は符号化部３６に入力され、例えば、動画符号化技術（例えば、Ｈ．２６４やＨＥＶＣ等)により符号化が行われ、例えば、インターネット等で配信される。
【００７９】
図６は、図４で説明した実施形態に係わる電子機器の動作を説明する図である。
【００８０】
受信側（電子機器（映像表示装置）１）は、例えば、受信した放送波の映像データからメイン映像６１の符号化データを取得して復号化部４１へ入力する。
【００８１】
復号化部４１では、復号処理を行い、メイン映像（第１の映像（ＨＤサイズ（「２ｋ１ｋサイズ」）））６１を取得する。このメイン映像６１は、ここでは、拡大スケーラ４２に入力され、４ｋ２ｋサイズの拡大映像６２が生成される。
【００８２】
このとき映像データが上記差分伝送方式に係る４ｋ２ｋ放送である（すなわち、映像データが映像差分データ６３を含む）か、どうかにより、以下の処理を行う。
【００８３】
このとき、例えば、映像データが上記差分伝送方式に係る４ｋ２ｋ放送である（すなわち、映像データが映像差分データ６３を含む）か、どうかは、例えば、上記メイン映像６１の放送信号やＥＰＧ等に、４ｋ放送識別信号（例えば、差分映像フラッグ等）を埋め込むことで、これを取得して識別することが可能である。
【００８４】
そして、映像データが上記差分伝送方式に係る４ｋ２ｋ放送である（すなわち、映像データが映像差分データ６３を含む）場合、例えば、インターネット経由で差分映像データ６３を受信して復号化部４３へ入力する。
【００８５】
復号化部４３では、符号化された差分映像データに復号処理を行い、差分映像データ６３を取得する。
【００８６】
そして、上記メイン映像からの拡大映像６２と差分映像データ６３が合成部４４に入力され、復元映像６４が生成される。
【００８７】
ここで生成された復元映像６４は、映像画質表示（４ｋ２ｋロゴ）重畳部４５へ入力され、入力映像に４ｋ２ｋロゴ（映像画質表示１００）が重畳された第２の映像（４ｋ２ｋサイズ）が表示映像６５として生成される。
【００８８】
そして、例えば、差分映像フラッグ等の高画質映像（４ｋ放送）識別信号に応じ、切替部４６により、映像画質表示（４ｋ２ｋロゴ）重畳部４５から出力された４ｋ２ｋロゴが重畳された第２の映像（４ｋ２ｋサイズ）が表示映像として選択され、テレビモニタ（表示画面８）に表示出力される。
【００８９】
また、映像データが上記差分伝送方式に係る４ｋ２ｋ放送ではない（すなわち、映像データが映像差分データ６３を含まない）場合は、例えば、インターネットからの差分映像の取得は行わず、例えば、切替部４６により、拡大スケーラ４２から出力されるメイン映像が選択され、テレビモニタ（表示画面８）に表示出力される。
【００９０】
このとき、このメイン映像６２は、第２の映像（４ｋ２ｋ画質）ではないため、第２の映像（４ｋ２ｋ画質）の表示（例えば、４ｋ２ｋロゴ）は表示しない。
【００９１】
図７は、実施形態に係わる映像出力部（例えば、映像出力装置）において、第１の映像および第２の映像の表示が重畳された差分映像データを出力するようすを示す図である。
【００９２】
送信側（映像出力部（例えば、映像出力装置））において、元映像（４ｋ２ｋサイズ)が４ｋ映像入力部７１に入力される。
【００９３】
この元映像は縮小スケーラ７２に入力され、メイン映像として配信するためのＨＤサイズ（２ｋ１ｋサイズ）の映像を生成する。
【００９４】
このメイン映像は符号化部７３に入力され、動画符号化技術(例えば、ＭＰＥＧ２等)により符号化が行われ、放送波等で配信される。
【００９５】
また、４ｋ映像入力部７１に入力された元映像は、４ｋ２ｋロゴ重畳部７５へ入力され、元映像に４ｋ２ｋロゴが重畳された映像が生成される。
【００９６】
この元映像に４ｋ２ｋロゴが重畳された映像は、差分抽出部７６に入力される。
【００９７】
また、メイン映像は、拡大スケーラ７４に入力され、４ｋ２ｋサイズの拡大映像が生成される。
【００９８】
ここで生成された拡大映像は、差分抽出部７６に入力される。この差分抽出部７６で差分映像データが生成される。
【００９９】
すなわち、ここでは、差分映像データには、第２の映像の表示（４ｋ２ｋロゴ表示）が含まれた映像となる。
【０１００】
そして、差分映像データは、符号化部７７に入力され、例えば、動画符号化技術(例えば、Ｈ．２６４、ＨＥＶＣ等)により、符号化が行われ、インターネット等で配信される。
【０１０１】
図８は、実施形態に係わる電子機器において、映像出力部（例えば、映像出力装置）から出力された第１の映像および第２の映像の表示が重畳された差分映像データを受信し、第２の映像の表示を重畳して出力するようすを示す図である。
【０１０２】
受信側（電子機器（映像表示装置）１）は、例えば、放送波からメイン映像の符号化データを受信して復号化部８１へ入力して、復号処理を行い、メイン映像が取得される。
【０１０３】
メイン映像は、拡大スケーラ８２に入力され、４ｋ２ｋサイズの拡大映像が生成される。
【０１０４】
ここでも、映像データが上記差分伝送方式に係る４ｋ２ｋ放送である（すなわち、映像データが映像差分データを含む）か、どうかにより、以下の処理を行う。
【０１０５】
映像データが上記差分伝送方式に係る４ｋ２ｋ放送である（すなわち、映像データが映像差分データを含む）場合は、例えば、インターネット経由で差分映像データを受信して、復号化部８３へ入力する。
【０１０６】
復号化部８３では、復号処理が行われ、差分映像データが取得される。
【０１０７】
そして、メイン映像からの拡大映像と差分映像データが合成部８４に入力され、復元映像が生成される。
【０１０８】
そして、切替部８５において、合成部８４からの復元映像が選択され、テレビモニタ（表示画面８）に表示される。ここでは、差分映像データが使用されるため、第２の映像の表示（４ｋ２ｋロゴ）が含まれた表示映像となる。
【０１０９】
また、映像データが上記差分伝送方式に係る４ｋ２ｋ放送ではない（すなわち、映像データが映像差分データを含まない）場合は、インターネットからの差分映像の取得は行わず、切替部８５により、拡大スケーラ８２からのメイン映像が選択され、テレビモニタ（表示画面８）に表示される。ここでは、差分映像データが使用されないため、第２の映像の表示（４ｋ２ｋロゴ）が含まれない表示映像となる。
【０１１０】
図９は、図７で説明した実施形態に係わる映像出力部（例えば、映像出力装置）の動作を説明する図である。
【０１１１】
送信側（映像出力部（例えば、映像出力装置））において、元映像（４ｋ２ｋサイズ)９１が４ｋ映像入力部７１に入力される。
【０１１２】
この元映像９１は縮小スケーラ７２に入力され、メイン映像９２として配信するためのＨＤサイズ（２ｋ１ｋサイズ）の映像を生成する。
【０１１３】
このメイン映像９２は符号化部７３に入力され、動画符号化技術(例えば、ＭＰＥＧ２等)により符号化が行われ、放送波等で配信される。
【０１１４】
また、４ｋ映像入力部７１に入力された元映像９１は、４ｋ２ｋロゴ重畳部７５へ入力され、元映像９１に４ｋ２ｋロゴが重畳された映像９４が生成される。
【０１１５】
この元映像９１に４ｋ２ｋロゴが重畳された映像は、差分抽出部７６に入力される。
【０１１６】
また、メイン映像９２は、拡大スケーラ７４に入力され、４ｋ２ｋサイズの拡大映像９３が生成される。
【０１１７】
ここで生成された拡大映像９３は、差分抽出部７６に入力される。この差分抽出部７６で差分映像データ９５が生成される。
【０１１８】
すなわち、ここでは、差分映像データには、第２の映像の表示（４ｋ２ｋロゴ表示）が含まれた映像となる。
【０１１９】
そして、差分映像データ９５は、符号化部７７に入力され、例えば、動画符号化技術(例えば、Ｈ．２６４、ＨＥＶＣ等)により、符号化が行われ、インターネット等で配信される。
【０１２０】
図１０は、図８で説明した実施形態に係わる電子機器の動作を説明する図である。
【０１２１】
受信側（電子機器（映像表示装置）１）は、例えば、放送波からメイン映像の符号化データを受信して復号化部８１へ入力して、復号処理を行い、メイン映像１０１が取得される。
【０１２２】
メイン映像１０１は、拡大スケーラ８２に入力され、４ｋ２ｋサイズの拡大映像１０２が生成される。
【０１２３】
ここでも、映像データが上記差分伝送方式に係る４ｋ２ｋ放送である（すなわち、映像データが映像差分データを含む）か、どうかにより、以下の処理を行う。
【０１２４】
映像データが上記差分伝送方式に係る４ｋ２ｋ放送である（すなわち、映像データが映像差分データを含む）場合は、例えば、インターネット経由で差分映像データを受信して、復号化部８３へ入力する。
【０１２５】
復号化部８３では、復号処理が行われ、差分映像データ１０３が取得される。
【０１２６】
そして、メイン映像からの拡大映像１０２と差分映像データ１０３が合成部８４に入力され、復元映像１０４が生成される。
【０１２７】
図１１は、実施形態に係わる電子機器において、映像出力部（例えば、映像出力装置）から出力された映像コンテンツの映像データ（第１の映像および差分映像データ）を受信し、電子機器側に予め設定された第２の映像の表示を重畳して出力するようすを説明するフローチャートである。
【０１２８】
ステップＳ１００は、ここでの開始ステップである。続いて、ステップＳ１０１に進む。
【０１２９】
ステップＳ１０１は、映像コンテンツの映像データを受信するステップである。ここで、映像コンテンツは、放送で送信されるように構成しても良いし、記憶媒体等から取得されるように構成しても良い。続いて、ステップＳ１０２に進む。
【０１３０】
ステップＳ１０２は、映像コンテンツの映像データに差分映像データが含まれるかを検出するステップである。ここでは、映像コンテンツの映像データは、例えば、第１の映像（第１解像度の映像（例えば、「２ｋ１ｋ」）と、映像差分データ（第１の映像より解像度が高い第２の映像（第２解像度の映像（例えば、「４ｋ２ｋ」）と第１の映像との差分情報）である。
【０１３１】
映像コンテンツの映像データに差分映像データが含まれると検出される場合は、ステップＳ１０３に進む（Ｙｅｓ）。映像コンテンツの映像データに差分映像データが含まれないと検出される場合は、ステップＳ１０５に進む（Ｎｏ）。
【０１３２】
ステップＳ１０３は、電子機器（映像表示装置）１に、予め設定されている第２の映像の映像画質表示（４ｋ２ｋロゴ）を第２の映像に重畳するステップである。電子機器（映像表示装置）１は、例えば、半導体メモリ等の記憶部を備え、予め設定されている第２の映像の映像画質表示（４ｋ２ｋロゴ）を記憶する（図示せず）。続いて、ステップＳ１０４に進む。
【０１３３】
ステップＳ１０４は、映像画質表示（４ｋ２ｋロゴ）が重畳されている第２の映像（高画質映像（４ｋ２ｋサイズ））を表示出力するステップである。続いて、ステップＳ１０１に進み、上記処理を繰り返す。
【０１３４】
ステップＳ１０５は、映像画質表示（４ｋ２ｋロゴ）が重畳されていない第1の映像を表示出力するステップである。続いて、ステップＳ１０１に進み、上記処理を繰り返す。
【０１３５】
すなわち、この実施形態においては、電子機器（映像表示装置）１は、第１の映像（例えば、「２ｋ１ｋサイズ」）と、前記第１の映像より解像度が高い第２の映像（例えば、「４ｋ２ｋサイズ」）と前記第１の映像との差分映像データを用いて前記第２の映像（例えば、「４ｋ２ｋサイズ」）を出力する。
【０１３６】
また、映像データを受信し、前記映像データに前記差分映像データが含まれる場合は、予め設定されている第２の映像の表示を、前記第２の映像に重畳する。
【０１３７】
また、前記第２の映像の表示が重畳された第２の映像を出力する。
【０１３８】
また、他の実施形態として、差分映像データがない第１の映像（ＨＤ放送または「２ｋ１ｋ放送」）の場合には、第１の映像であることを示すロゴを表示し、第２の映像（４ｋ２ｋ放送）を受信した場合には、ロゴを非表示にしても良い。
【０１３９】
また、第２の映像（４ｋ２ｋ放送）を受信した場合には第２の映像のロゴを表示し、差分映像データのない第１の映像（ＨＤ放送または「２ｋ１ｋ放送」）の場合には、第１の映像（ＨＤ放送または「２ｋ１ｋ放送」）のロゴを表示しても良い。
【０１４０】
図１２は、実施形態に係わる電子機器において、映像出力部（例えば、映像出力装置）から出力された映像コンテンツの映像データ（第１の映像および第２の映像の表示が重畳された差分映像データ）を受信し、第２の映像の表示を重畳して出力するようすを説明するフローチャートである。
【０１４１】
ステップＳ２００は、ここでの開始ステップである。続いて、ステップＳ２０１に進む。
【０１４２】
ステップＳ２０１は、映像コンテンツの映像データを受信するステップである。続いて、ステップＳ２０２に進む。
【０１４３】
ステップＳ２０２は、映像コンテンツの映像データに差分映像データが含まれるかを検出するステップである。映像コンテンツの映像データに差分映像データが含まれると検出される場合は、ステップＳ２０３に進む（Ｙｅｓ）。映像コンテンツの映像データに差分映像データが含まれないと検出される場合は、ステップＳ２０５に進む（Ｎｏ）。
【０１４４】
ステップＳ２０３は、映像データから第２の映像の表示データ（４ｋ２ｋロゴ）を取得し、第２の映像に重畳するステップである。第２の映像の表示は差分映像に重畳されているので、第１の映像と差分映像を合成することで第２の映像の表示データが第２の映像に重畳される。続いて、ステップＳ２０４に進む。
【０１４５】
ステップＳ２０４は、映像画質表示（４ｋ２ｋロゴ）が重畳されている高画質映像（４ｋ２ｋ）を表示出力するステップである。続いて、ステップＳ２０１に進み、上記処理を繰り返す。
【０１４６】
ステップＳ２０５は、映像画質表示（４ｋ２ｋロゴ）が重畳されていない第1の映像を表示出力するステップである。続いて、ステップＳ２０１に進み、上記処理を繰り返す。
【０１４７】
また、他の実施形態として、メイン映像（第１の映像（ＨＤ放送または「２ｋ１ｋ放送」））に第１の映像（ＨＤ放送または「２ｋ１ｋ放送」）のロゴを付加した映像を配信し、差分映像データにはメイン映像上の第１の映像（ＨＤ放送または「２ｋ１ｋ放送」）のロゴを消す情報を付加した映像を配信し、受信側でメイン映像第１の映像（ＨＤ放送または「２ｋ１ｋ放送」）と差分映像データを合成すると第１の映像（ＨＤ放送または「２ｋ１ｋ放送」）のロゴが非表示となるように構成することも可能である。
【０１４８】
また、第１の映像（ＨＤ放送または「２ｋ１ｋ放送」）だけの場合は、第１の映像（ＨＤ放送または「２ｋ１ｋ放送」）のロゴが表示されるように構成することも可能である。
【０１４９】
また、メイン映像に第１の映像（ＨＤ放送または「２ｋ１ｋ放送」）のロゴを付加した映像を配信し、差分映像データには、メイン映像上の第１の映像（ＨＤ放送または「２ｋ１ｋ放送」）のロゴを消して、第２の映像（４ｋ２ｋ）のロゴを表示する情報を付加した映像を配信し、受信側でメイン映像と差分映像データを合成すると、第２の映像（４ｋ２ｋ）のロゴが表示され、メイン映像のみの場合は第１の映像（ＨＤ放送または「２ｋ１ｋ放送」）のロゴが表示されるように構成することも可能である。
【０１５０】
すなわち、この実施形態においては、電子機器（映像表示装置）１は、第１の映像と、前記第１の映像より解像度が高い第２の映像と前記第１の映像との差分映像データを用いて前記第２の映像を出力する。
【０１５１】
そして、映像データを受信し、前記映像データに前記差分映像データが含まれる場合は、前記映像データから第２の映像の表示データを取得し、前記第２の映像に重畳する重畳部を備える。
【０１５２】
また、前記第２の映像の表示が重畳された第２の映像を出力する映像出力部を備える。
【０１５３】
このように第２の映像の表示が重畳された第２の映像（ロゴの表示）を出力することにより、例えば、視聴者は、第２の映像（例えば、４ｋ２ｋ映像）を視聴していることを容易に認識することが可能になる。
【０１５４】
また、この実施形態においては、第２の映像の表示を出力するかどうかを切り替えるようにしてもよい。
【０１５５】
図１３は、実施形態に係わる電子機器において、例えば、ユーザによる放送番組のチャンネル変更に応じて第２の映像の表示を表示出力される例を示す図である。
【０１５６】
図１３に示すように、この実施形態においては、映像の切替り（例えば、ユーザによる放送番組のチャンネル変更等）に応じて、第２の映像の表示が表示出力され、予め設定された一定時間後に第２の映像の表示が表示されなくなるようにしても良い。
【０１５７】
あるいは、第２の映像の表示を出力するかしないかをユーザの操作に応じて、切り替えるようにしても良い。
【０１５８】
例えば、ユーザがリモコン操作により、第２の映像の表示を出力すると設定した場合、第２の映像の表示が第２の映像に重畳される。第２の映像の表示を出力しないと設定した場合、第２の映像の表示が第２の映像に重畳されない。
【０１５９】
図１４は、実施形態に係わる電子機器において、映像出力部（例えば、映像出力装置）から出力された映像コンテンツの映像データ（第１の映像および差分映像データ）を受信し、電子機器側に予め設定された第２の映像の表示を重畳して出力するようすを説明するフローチャートである。
【０１６０】
ステップＳ３００は、ここでの開始ステップである。続いて、ステップＳ３０１に進む。
【０１６１】
ステップＳ３０１は、映像コンテンツの映像データを受信するステップである。続いて、ステップＳ３０２に進む。
【０１６２】
ステップＳ３０２は、映像コンテンツの映像データに差分映像データが含まれるかを検出するステップである。ここでは、映像コンテンツの映像データは、例えば、第１の映像（第１解像度の映像（例えば、「２ｋ１ｋ」）と、映像差分データ（第１の映像より解像度が高い第２の映像（第２解像度の映像（例えば、「４ｋ２ｋ」）と第１の映像との差分情報）である。
【０１６３】
映像コンテンツの映像データに差分映像データが含まれると検出される場合は、ステップＳ３０３に進む（Ｙｅｓ）。映像コンテンツの映像データに差分映像データが含まれないと検出される場合は、ステップＳ３０７に進む（Ｎｏ）。
【０１６４】
ステップＳ３０３は、第２の映像の表示を出力するかどうかを検出するステップである。第２の映像の表示を出力すると検出される場合、ステップＳ３０４（Ｙｅｓ）に進む。第２の映像の表示を出力しないと検出される場合、ステップＳ３０６（Ｎｏ）に進む。
【０１６５】
ステップＳ３０４は、電子機器（映像表示装置）１に、予め設定されている第２の映像の映像画質表示（４ｋ２ｋロゴ）を第２の映像に重畳するステップである。続いて、ステップＳ３０５に進む。
【０１６６】
ステップＳ３０５は、第２の映像の映像画質表示（４ｋ２ｋロゴ）が重畳されている第２の映像（高画質映像（４ｋ２ｋサイズ））を表示出力するステップである。続いて、ステップＳ３０１に進み、上記処理を繰り返す。
【０１６７】
ステップＳ３０６は、第２の映像の映像画質表示（４ｋ２ｋロゴ）が重畳されていない第２の映像（高画質映像（４ｋ２ｋサイズ））を表示するステップである。続いて、ステップＳ３０１に進み、上記処理を繰り返す。
【０１６８】
ステップＳ３０７は、第２の映像の映像画質表示（４ｋ２ｋロゴ）が重畳されていない第1の映像を表示出力するステップである。続いて、ステップＳ３０１に進み、上記処理を繰り返す。
【０１６９】
すなわち、この実施形態の電子機器においては、第１の映像と、前記第１の映像より解像度が高い第２の映像と前記第１の映像との差分映像データを用いて前記第２の映像を出力する。
【０１７０】
そして、映像データを受信し、前記映像データに前記差分映像データが含まれる場合は、予め設定されている第２の映像の表示を、前記第２の映像に重畳する重畳部を備える。
【０１７１】
また、前記第２の映像の表示が重畳された第２の映像を出力する映像出力部を備える。
【０１７２】
また、他の実施形態の電子機器においては、第１の映像と、前記第１の映像より解像度が高い第２の映像と前記第１の映像との差分映像データを用いて前記第２の映像を出力する。
【０１７３】
そして、映像データを受信し、前記映像データに前記差分映像データが含まれる場合は、前記映像データから第２の映像の表示データを取得し、前記第２の映像に重畳する重畳部を備える。
【０１７４】
また、前記第２の映像の表示が重畳された第２の映像を出力する映像出力部を備える。
【０１７５】
また、前記差分映像データが含まれるかを検出する検出部を備える。
【０１７６】
また、前記差分映像データが含まれない場合は、前記第２の映像の表示が重畳されない第２の映像を出力する。
【０１７７】
また、前記映像データに前記差分映像データが含まれるかに応じ、前記第２の映像の表示が重畳された第２の映像の出力が切替えられる切替え部を備える。
【０１７８】
また、前記第２の映像の表示は、「４ｋ２ｋ」等の解像度情報を含む。
【０１７９】
また、この実施形態の映像出力装置においては、第１の映像と、前記第１の映像より解像度が高い第２の映像と前記第１の映像との差分映像データを出力する。
【０１８０】
そして、元映像を縮小して前記第１の映像を作成し、出力する第１の映像出力部を備える。
【０１８１】
また、前記元映像と第２の映像の表示を重畳し、第２の映像の表示が重畳された元映像と前記元映像との差分映像データを抽出する抽出部を備える。
【０１８２】
また、抽出された前記差分映像データを出力する差分映像データ出力部を備える。
【０１８３】
また、前記差分映像データの抽出は、前記第２の映像の表示が重畳された元映像と前記第１の映像を拡大した映像との差分データが抽出される。
【０１８４】
この実施形態は、上記のように構成することにより、例えば、表示された映像の確認動作において、ユーザの利便性を向上させることが可能になる。
【０１８５】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１８６】
なお、上記実施形態は、記述そのものに限定されるものではなく、実施段階では、その趣旨を逸脱しない範囲で、構成要素を種々変形して具体化することが可能である。
【０１８７】
また、上記実施形態に開示されている複数の構成要素の適宜な組み合せにより種々の発明を形成できる。
【０１８８】
例えば、実施形態に示される全構成要素から幾つかの構成要素を削除してもよい。更に、異なる実施形態に亘る構成要素を適宜組み合せてもよい。
【符号の説明】
【０１８９】
１…電子機器（映像表示装置）、８…表示画面、２１…リモートコントローラ（リモコン）、１００…第２の映像の表示。
【図１】
2014072812.tif 000003
【図２】
2014072812.tif 000004
【図３】
2014072812.tif 000005
【図４】
2014072812.tif 000006
【図５】
2014072812.tif 000007
【図６】
2014072812.tif 000008
【図７】
2014072812.tif 000009
【図８】
2014072812.tif 000010
【図９】
2014072812.tif 000011
【図１０】
2014072812.tif 000012
【図１１】
2014072812.tif 000013
【図１２】
2014072812.tif 000014
【図１３】
2014072812.tif 000015
【図１４】
2014072812.tif 000016